(57)【要約】  本発明は、ＲＡＮにおいてアップリンクデータ伝送を行う複数のＵＥ（ユーザ機器）の通信状態をモニタするステップと、前記複数のＵＥの少なくとも１つから少なくとも１つの専用アップリンクチャネル上で伝送されるデータを受信するステップと、前記複数のＵＥの通信状態によって、前記複数のＵＥの少なくとも１つのＵＥに対して専用アップリンクチャネルの数を動的に割り当てるステップとを有する、エンハンストアップリンクデータ伝送に使用される方法及び装置を提供する。本発明の使用は、モバイル端末がより効率的なアップリンク伝送を行うことを可能にすることができる。
2008541646.tif 000002
【特許請求の範囲】
【請求項１】
無線アクセスネットワークにおけるエンハンストアップリンクデータ伝送に対する方法において、
（ａ）前記無線アクセスネットワークにおいてアップリンクデータ伝送を行う複数のユーザ機器の通信状態をモニタするステップと、
（ｂ）前記複数のユーザ機器の少なくとも１つから少なくとも１つの専用アップリンクチャネル上で伝送されるデータを受信するステップと、
（ｃ）前記複数のユーザ機器の前記通信状態によって、少なくとも１つの前記ユーザ機器に対してアップリンク専用チャネルの数を割り当てるステップと、
を有する方法。
【請求項２】
前記アップリンク専用チャネルが、エンハンストアップリンク（ＥＵＬ）専用物理チャネルである、請求項１に記載のアップリンクデータ伝送に対する方法。
【請求項３】
前記ステップ（ａ）が、前記ユーザ機器により使用されるアップリンク専用チャネルの伝送品質を示すパラメータＰの値を取得するステップを更に有する、請求項１に記載のアップリンクデータ伝送に対する方法。
【請求項４】
前記ステップ（ａ）が、前記ユーザ機器のＱｏＳレベルを示すパラメータＱの値を取得するステップを更に有する、請求項３に記載のアップリンクデータ伝送に対する方法。
【請求項５】
前記ステップ（ａ）が、前記無線アクセスネットワークにおける全てのアップリンク専用チャネルの数を示すパラメータＳの値を取得するステップを更に有する、請求項４に記載のアップリンクデータ伝送に対する方法。
【請求項６】
前記ステップ（ａ）が、アップリンク伝送を行う前記ユーザ機器の数を示すパラメータＮの値を取得するステップを更に有する、請求項５に記載のアップリンクデータ伝送に対する方法。
【請求項７】
前記ステップ（ｃ）が、
前記Ｓの値が増大されるかどうか判断するステップと、
増大される場合に、新しく増加されたＥＵＬ専用物理チャネルを適切なユーザ機器に再割り当てするステップと、
を更に有する、請求項６に記載のアップリンクデータ伝送に対する方法。
【請求項８】
前記ステップ（ｃ）が、
前記Ｓの値が減少されるかどうか判断するステップと、
減少される場合に、最小のＰ＊Ｑ値を持つユーザ機器に、アップリンク専用チャネルを解放するように要求し、前記解放されたアップリンク専用チャネルを他のユーザ機器に割り当てるステップと、
を更に有する、請求項６に記載のアップリンクデータ伝送に対する方法。
【請求項９】
前記ステップ（ｃ）が、
前記Ｎの値が増大されるかどうか判断するステップと、
増大される場合に、最小のＰ＊Ｑ値を持つユーザ機器に、アップリンク専用チャネルを解放するように要求し、前記解放されたアップリンク専用チャネルを新しいアクセスされるユーザ機器に割り当てるステップと、
を更に有する、請求項６に記載のアップリンクデータ伝送に対する方法。
【請求項１０】
前記ステップ（ｃ）が、
前記Ｎの値が減少されるかどうか判断するステップと、
減少される場合に、前記解放されたアップリンク専用チャネルを他のユーザ機器に再割り当てするように要求するステップと、
を更に有する、請求項６に記載のアップリンクデータ伝送に対する方法。
【請求項１１】
前記ステップ（ｃ）が、
前記ユーザ機器の各々の前記Ｐ＊Ｑ値が変更されるかどうか判断するステップと、
前記ユーザ機器の少なくとも１つの前記Ｐ＊Ｑ値が変更される場合に、各ユーザ機器の現在のＰ＊Ｑ値及び現在のＮ値によって全てのアップリンク専用チャネルを再割り当てするステップと、
を更に有する、請求項６に記載のアップリンクデータ伝送に対する方法。
【請求項１２】
ユーザ機器から無線アクセスネットワークに対してアップリンクデータ伝送を行う方法において、
（ａ）前記ユーザ機器の通信状態によって前記無線アクセスネットワークにより割り当てられる少なくとも１つのアップリンク専用チャネルを取得するステップと、
（ｂ）前記アップリンク専用チャネル上でアップリンクデータ伝送を行うステップと、
（ｃ）前記無線アクセスネットワークの割り当て情報によって、アップリンク専用チャネルの数を調整し、前記ユーザ機器が前記調整されたアップリンク専用チャネル上でアップリンクデータ伝送を行うことを可能にするステップと、
を有する方法。
【請求項１３】
前記アップリンク専用チャネルが、エンハンストアップリンク専用物理チャネルである、請求項１２に記載のアップリンクデータ伝送に対する方法。
【請求項１４】
前記ステップ（ｃ）が、前記アップリンク専用チャネル上でアップリンクフィードバック情報を送信するステップを有する、請求項１２に記載のアップリンクデータ伝送に対する方法。
【請求項１５】
前記ステップ（ｃ）が、アップリンクチャネル上でアップリンクフィードバック情報を送信するステップを有する、請求項１２に記載のアップリンクデータ伝送に対する方法。
【請求項１６】
前記ステップ（ｃ）が、共有制御チャネルを介してパワー制御情報を受信するステップを更に有する、請求項１４又は１５に記載のアップリンクデータ伝送に対する方法。
【請求項１７】
前記ステップ（ｃ）が、前記共有制御チャネルを介して同期シフト制御情報を受信するステップを更に有する、請求項１６に記載のアップリンクデータ伝送に対する方法。
【請求項１８】
ユーザ機器において、
少なくとも１つの専用アップリンクチャネル上で無線アクセスネットワークに対してアップリンクデータ伝送を行うデータ伝送装置と、
前記ユーザ機器の通信状態に関連した、前記無線アクセスネットワークから送信された割り当て情報によって専用アップリンクチャネルの数を調整し、前記伝送装置が前記調整された専用アップリンクチャネル上でアップリンクデータ伝送を行うことを可能にする調整装置と、
を有するユーザ機器。
【請求項１９】
前記ユーザ機器により使用されるダウンリンクチャネルの品質を測定し、前記通信状態を前記無線アクセスネットワークに提供する測定装置を有する、請求項１８に記載のユーザ機器。
【請求項２０】
少なくとも１つの専用アップリンクチャネル上でアップリンクデータ伝送を行う複数のユーザ機器に対して使用される無線アクセスネットワークにおいて、
前記複数のユーザ機器の通信状態をモニタするモニタリング装置と、
前記複数のユーザ機器からエンハンストアップリンク伝送によりデータを受信する受信装置と、
前記複数のユーザ機器の前記通信状態によって少なくとも１つのユーザ機器に対して専用アップリンクチャネルの数を動的に割り当てる割り当て装置と、
を有する無線アクセスネットワーク。
【請求項２１】
前記モニタリング装置が、前記ユーザ機器により占有される前記アップリンク専用チャネルの伝送品質を示すパラメータＰの値の取得を含めて、前記ユーザ機器の前記通信状態をモニタする、請求項２０に記載の無線アクセスネットワーク。
【請求項２２】
前記モニタリング装置が、前記ユーザ機器のＱｏＳレベルを示すパラメータＱの値の取得を含めて、前記ユーザ機器の前記通信状態をモニタする、請求項２０に記載の無線アクセスネットワーク。
【請求項２３】
前記モニタリング装置が、前記無線アクセスネットワーク内の全てのアップリンク専用チャネルの数を示すパラメータＳの値の取得を含めて、前記ユーザ機器の前記通信状態をモニタする、請求項２０に記載の無線アクセスネットワーク。
【請求項２４】
前記モニタリング装置が、前記アップリンク伝送を行う前記ユーザ機器の数を示すパラメータＮの値の取得を含めて、前記ユーザ機器の前記通信状態をモニタする、請求項２０に記載の無線アクセスネットワーク。
【発明の詳細な説明】
【技術分野】
【０００１】
本発明は、一般には、ＴＤＤ  ＣＤＭＡ通信システムに関し、より特定的には、ＴＤＤ  ＣＤＭＡ通信システムにおけるエンハンストアップリンクデータ伝送に対する方法及び装置に関する。
【背景技術】
【０００２】
近年、モバイルサブスクライバ（mobile subscribers）の様々な要望を満足させるために、より高いダウンリンク伝送データレートだけではなく、より高いアップリンク伝送データレートも、３Ｇ通信システムにおいて必要とされる。ＨＳＤＰＡ（高速ダウンリンクパケットアクセス）は、パケットベースのデータサービスであり、モバイルデータのダウンリンク伝送を強化する。ＷＣＤＭＡシステムにおけるダウンリンクチャネル（５ＭＨｚ帯域幅）に対して、ＨＳＤＰＡによりサポートされる最大伝送データレートは、１０Ｍｂｐｓに達することができる。ＨＳＤＰＡが採用する重要な技術は、適応的変調及び符号化（ＡＭＣ、Adaptive Modulation and Coding）及びハイブリッド自動繰り返し要求（ＨＡＲＱ、Hybrid Automatic Repeat Request）である。ＥＵＬ（エンハンストアップリンク、Enhanced Uplink）技術は、Ｅ−ＤＣＨ（エンハンスト専用チャネル、Enhanced-Dedicated Channel）技術のサポート下でアップリンク伝送データレートを向上するために提案されている。それにもかかわらず、既存のＴＤＤ仕様において、Ｅ−ＤＣＨの物理層アーキテクチャに対する詳細な規定が存在しない。
【０００３】
加えて、従来のアップリンクデータ伝送中に、１つの問題は、アップリンクチャネルが、一度割り当てられると、それ以上動的に変更されることが可能ではないことである。しかしながら、アップリンクデータのトラフィックレートに関して相当な不均衡が存在し、例えば、通信プロセス中、大量のデータが伝送されることが必要とされる場合、割り当てられたチャネルの容量は、このような大量のデータを伝送する要望を満たすことができず、少量のデータ送信が必要とされる場合、予備のチャネルリソースは無駄になる。
【０００４】
したがって、モバイル端末が効率的なアップリンク伝送を行うことを可能にする、エンハンストアップリンクデータ伝送に対する方法及び装置の完全な解決法が必要とされる。
【発明の開示】
【発明が解決しようとする課題】
【０００５】
本発明の目的は、モバイル端末がより効率的なアップリンクデータ伝送を行うことを可能にするために、アップリンクチャネルを動的に割り当てることができる、エンハンストアップリンクデータ伝送に対する方法及び装置を提供することである。
【課題を解決するための手段】
【０００６】
本発明によると、無線アクセスネットワーク（ＲＡＮ）におけるエンハンストアップリンクデータ伝送に対して使用される方法が提供され、前記方法は、前記ＲＡＮにおいてアップリンクデータ伝送を行っている複数のユーザ機器（ＵＥ）の通信状態をモニタするステップと、前記複数のＵＥの少なくとも１つから少なくとも１つの専用アップリンクチャネル上で伝送されるデータを受信するステップと、前記複数のＵＥの通信状態によって、前記複数のＵＥの少なくとも１つのＵＥに対して専用アップリンクチャネルの数を動的に割り当てるステップとを有する。
【０００７】
本発明によると、ユーザ機器（ＵＥ）においてエンハンストアップリンクデータ伝送に対して使用される方法であって、前記ＵＥの通信状態によって前記無線アクセスネットワーク（ＲＡＮ）により割り当てられた少なくとも１つの専用アップリンクチャネルを取得するステップと、前記専用アップリンクチャネル上でアップリンクデータ伝送を実行するステップと、前記ＲＡＮの割り当て情報及び前記ＵＥの通信状態によって、前記専用アップリンクチャネルの数を動的に調整し、前記ＵＥが前記調整された専用アップリンクチャネル上でアップリンクデータ伝送を行うことを可能にするステップとを有する方法が提供される。
【０００８】
本発明によると、ＵＥであって、少なくとも１つの専用アップリンクチャネル上でＲＡＮに対するアップリンクデータ伝送を行うデータ伝送装置と、前記ＲＡＮから送信された前記ＵＥに関する割り当て情報によって専用アップリンクチャネルの数を調整し、前記伝送装置が調節された専用アップリンクチャネル上でアップリンクデータ伝送を行うことを可能にする調節装置とを有するＵＥが提供される。
【０００９】
本発明によると、複数のＵＥが少なくとも１つの専用アップリンクチャネル上でアップリンクデータ伝送を行うことを可能にするために使用されるＲＡＮが提供される。前記ＲＡＮは、前記複数のＵＥの通信状態をモニタするモニタリング装置と、前記複数のＵＥからエンハンストアップリンク伝送によりデータを受信する受信装置と、前記複数のＵＥの通信状態によって少なくとも１つのＵＥに対して専用アップリンクチャネルの数を動的に割り当てる割り当て装置とを有する。
【００１０】
上述のように、本発明によるアップリンクデータ伝送に対する方法及び装置は、ＵＥがより効率的なアップリンクデータ伝送を行うことを可能にし、対応するＥ−ＤＣＨリソース割り当てを最適化し、より合理的にする。
【００１１】
本発明の他の目的及び功績は、より完全な理解と一緒に、添付の図面と併せて以下の記載及び請求項を参照することにより明らかになり、理解される。
【００１２】
全ての図を通して、同様の参照番号は、同様の、類似した又は対応するフィーチャ又は機能を参照すると理解される。
【発明を実施するための最良の形態】
【００１３】
詳細な説明は、本発明に対して特定の実施例及び添付図面と併せて以下に与えられる。
【００１４】
図１は、本発明の一実施例によるエンハンストアップリンクデータ伝送の物理チャネル構成を図示する概略図を示す。ＵＥ（ユーザ機器）は、本発明においてＥ−ＰＵＤＣＨ（エンハンスト物理アップリンク専用チャネル、Enhanced Physical Uplink Dedicated Channel）と称され、ＲＡＮ（無線アクセスネットワーク）に対してアップリンクデータを伝送するのに使用される少なくとも１つのエンハンストアップリンク専用物理チャネル上でアップリンクデータを伝送し、同時に、Ｅ−ＰＵＤＣＨは、ＲＡＮにアップリンクフィードバック情報を送信するのに使用されることもでき、関連するフィードバック情報は、伝送制御信号を含む。代わりに、ＵＥは、本発明においてＥ−ＳＩＣＨ（エンハンスト共有情報チャネル、Enhanced Shared Information Channel）と称される、エンハンスト共有情報チャネル上でＲＡＮに対してアップリンクフィードバック情報を送信することもできる。Ｅ−ＳＩＣＨは、ＵＥからＲＡＮにフィードバック情報を送信するのに使用されるアップリンクチャネルであり、関連するフィードバック情報は、伝送タイプ、伝送ブロックのサイズ、ＨＡＲＱプロセス識別子を含むＨＡＲＱ関連情報、新しいデータインジケータ及びインクリメント式冗長バージョン番号を含む。Ｅ−ＰＵＤＣＨは、アップリンクデータを伝送するだけでなく、アップリンクフィードバック情報を送信することもできるので、Ｅ−ＳＩＣＨは、したがって、オプションのチャネルである。ＲＡＮは、本発明においてＥ−ＳＣＣＨ（エンハンスト共有制御チャネル）と称されるエンハンスト共有制御チャネルを介してＵＥに制御情報を送信する。Ｅ−ＳＣＣＨは、ＵＥに制御情報を送信するためにＲＡＮ（無線アクセスネットワーク）に対して使用されるダウンリンクチャネルである。関連する制御情報は、ＵＥ識別子、ＡＣＫ／ＮＡＫ（承認／不承認）及びＴＰＣ（伝送パワー制御）を含む。加えて、ＥＵＬ関連（EUL-associated）アップリンクＤＰＣＨ（専用物理チャネル）が、ＵＥからＲＡＮに同期要求及びパワー制御要求を送信するのに使用され、ＥＵＬ関連ダウンリンクＤＰＣＨは、ＲＡＮからＵＥにＳＳ（同期シフト）ＴＰＣ情報を送信するのに使用される。
【００１５】
本発明の一実施例により提供されたＥ−ＰＵＤＣＨを介して、ＵＥは、ＲＡＮに対するエンハンストアップリンクデータ伝送を実行することを可能にされ、同時に、Ｅ−ＰＵＤＣＨの数は、前記数が割り当てられた後に、ＵＥの通信状態により動的に割り当てられ、調整されることができ、これは、ＵＥに、より効率的なアップリンクデータ伝送を実施させる。詳細な実施は、図２及び図３と併せて説明される。
【００１６】
図２は、本発明の一実施例によるエンハンストアップリンクデータ伝送を図示するフローチャートを示す。初めに、ＵＥは、ＲＡＮとのＲＲＣ（無線リソース制御）接続を確立し（ステップＳ１１０）、ここでＲＲＣ接続は、ＵＥのＲＲＣプロトコル層とＲＡＮとの間の一種の双方向ポイントツーポイント（point-to-point）接続である。通信するＵＥに対して、多くとも１つのＲＲＣ接続が存在する。ＲＲＣ接続は、ＵＥとＲＡＮとの間の無線ネットワークシグナリング（wireless network signaling）、例えば無線リソースの割り当て等を伝送する。ＲＲＣ接続は、呼び出しが最初に確立される場合に確立され、前記ＲＲＣ接続が維持される必要がある通信が終了した後に解放される。
【００１７】
ＵＥは、Ｅ−ＰＵＤＣＨリソース割り当て情報を得るためにＥ−ＳＣＣＨをモニタし（ステップＳ１２０）、Ｅ−ＰＵＤＣＨがＵＥに割り当てられているかどうか判断し（ステップＳ１４０）、割り当てられていない場合、ＵＥは、ＥＵＬ関連ＤＰＣＨを介してＳＳ及びＴＰＣを維持する（ステップＳ１４５）。
【００１８】
割り当てられている場合、ＵＥは、以下のように詳細に説明される、ＥＵＬデータ伝送を実行し、すなわち、初めに、ＵＥ（又はＲＡＮ）が、ＡＭＣ（適応的変調及び符号化）伝送モードを選択し（ステップＳ１５０）、次いで、ＵＥが、Ｅ−ＰＵＤＣＨ上でデータを伝送し（ステップＳ１６０）、Ｅ−ＰＵＤＣＨ又はＥ−ＳＩＣＨ上でアップリンク制御情報を伝送し（ステップＳ１７０）、ＵＥから前記データを受信した後に、ＲＡＮが、Ｅ−ＳＣＣＨを介してＴＰＣ及びＳＳ（同期シフト）を送信し（ステップＳ１８０）、次いで、アップリンクデータ伝送を実行する前記ＵＥの通信状態によって、ＲＡＮが、Ｅ−ＰＵＤＣＨリソースを動的に割り当て（ステップＳ１９０）、ＲＡＮのＥ−ＰＵＤＣＨ割り当て情報によって、ＵＥが、Ｅ−ＰＵＤＣＨの数を動的に調整し（ステップＳ１９５）、最終的に、ＵＥが、前記データ伝送が完了したかどうか判断し（ステップＳ２００）、完了した場合、関連する無線リソースが解放され（ステップＳ２１０）、完了していない場合、ＵＥがステップＳ１４０に戻り、Ｅ−ＰＵＤＣＨがＵＥ自体に割り当てられているかどうか判断する。
【００１９】
図３は、本発明の一実施例による動的なＥ−ＰＵＤＣＨリソース割り当てを図示するフローチャートを示す。単純のため、初めに、一部の関連パラメータが以下のように規定され、すなわち、Ｑは、前記通信するＵＥにより占有されるチャネルのリアルタイム通信品質を示し、Ｐは、前記ＵＥのＱｏＳ（サービスの品質）レベルを示し、すなわち、異なるタイプのサービスが異なるＱｏＳキュー（queues）に入れられ、これは、一部のサービス（例えば音声サービス）に対する伝送プライオリティを他のサービス（例えばデータサービス）より高くし、伝送待ち時間を減少し、前記リアルタイム伝送品質を保証し、Ｎは、無線ネットワークにおいてエンハンストアップリンク伝送を行う全てのＵＥの数を示し、Ｓは、エンハンストアップリンク伝送を行う前記ＵＥに対してＲＡＮにより割り当てられる全てのＥ−ＰＵＤＣＨの数を示す。
【００２０】
各ＵＥにより取得されたＥ−ＰＵＤＣＨの数の割り当て／再割り当ては、Ｑ、Ｐ、Ｎ及びＳ値に基づく。これらのパラメータを取得するためのＲＡＮに対するアプローチは、以下の通りであり、すなわち、ＲＡＮは、Ｐを得るためにＵＥのアップリンクチャネル品質を測定し、Ｑは、ＵＥのＱｏＳレベル又はサービスタイプから直接的に抽出され、Ｓは、ＲＡＮのＲＲＣ（無線リソース制御）情報から抽出され、Ｎは、前記ＥＵＬ伝送を現在行っているＵＥの数によって与えられる。
【００２１】
前記エンハンストアップリンク伝送を行うＵＥごとに、ＲＡＮは、以下の２つの基本原理によってＥ−ＰＵＤＣＨの適切な数を割り当て／再割り当てする。
【００２２】
１．前記ＵＥが、より高いＰ＊Ｑ値（Ｐ＊Ｑは、チャネルの品質及びＱｏＳレベルを示すのに使用される合成パラメータ）を持つ場合に、より多くのＥ−ＰＵＤＣＨを割り当てられ、そうでなければ、より少ないＥ−ＰＵＤＣＨを割り当てられる。
【００２３】
２．前記Ｎ値がセル内でより小さい場合、これは、ＥＵＬ伝送を行う少数のＵＥが存在することを意味し、前記セルは、より多くのＥ−ＰＵＤＣＨを割り当てられ、そうでなければ、より少ないＥ−ＰＵＤＣＨを割り当てられる。
【００２４】
以下は、図３に示されるＥ−ＰＵＤＣＨリソースの動的割り当てに対する提案された手順を示し、すなわち、
ＲＡＮが、パラメータＳ、Ｐ、Ｑ及びＮを獲得し（ステップＳ３１０）、
ＲＡＮが、前記Ｐ＊Ｑ値及び現在のＮ値により全てのＥ−ＰＵＤＣＨリソースユニットを割り当て（ステップＳ３２０）、
前記ＵＥが、Ｅ−ＰＵＤＣＨ上で前記ＥＵＬ伝送を行い（ステップＳ３３０）、
ＲＡＮが、Ｓの値が変更されないかどうか判断し（ステップＳ３４０）、
Ｓが変更される場合、前記ＵＥは、Ｓが増大されるかどうか判断し（ステップＳ３５０）、すなわちＲＡＮが新しいＥ−ＰＵＤＣＨリソースを得るかどうかを判断する。増大される場合、Ｓドメインにおける（すなわちＲＡＮカバレッジ領域の中の）新しい利用可能なＥ−ＰＵＤＣＨリソースは、再割り当てされ（ステップＳ３７０）、増大されない場合、Ｓは減少され、ＲＡＮは、最小のＰ＊Ｑ値を持つＵＥにＥ−ＰＵＤＣＨリソースを解放し、これらのリソースをＳドメインから除去することを要求する（ステップＳ３６０）。Ｓ値が不変である場合、ＵＥは、Ｎ値が変更されるかどうかを判断し（ステップＳ３８０）、すなわちＲＡＮにおけるＥＵＬ伝送を行う全てのＵＥの数が変更されるかどうかを判断する。
【００２５】
Ｎ値が変更される場合、ＵＥは、Ｎが増大されるかどうか判断し（ステップＳ３９０）、すなわちＥＵＬ伝送を行うＵＥの数が増大されるかどうかを判断し、増大される場合、ＲＡＮは、最小のＰ＊Ｑ値を持つＵＥにＥ−ＰＵＤＣＨリソースを解放するように要求し、前記解放されたリソースを新しいアクセスされるＵＥに割り当て（ステップＳ４１０）、増大されない場合、ＲＡＮは、前記新しい解放されたリソースを再割り当てし（ステップＳ４００）、Ｎ値が不変である場合、ＵＥは、Ｐ＊Ｑ値が変更されるかどうか判断する（ステップＳ４２０）。
【００２６】
Ｐ＊Ｑ値が変更される、すなわち前記チャネル品質及びＱｏＳレベルパラメータの合成パラメータが変化する場合、ＲＡＮは、各ＵＥの現在のＰ＊Ｑ値及びＥＵＬ伝送を行うＵＥの数によってＳドメイン内の全てのリソースを再割り当てし（ステップＳ４３０）、Ｐ＊Ｑが不変である場合、ＵＥは、伝送が完了したかどうかを判断し（ステップＳ４４０）、完了した場合、関連する占有された無線リソースは解放され（ステップＳ４５０）、完了していない場合、ステップＳ３３０に戻り、Ｅ−ＰＵＤＣＨ上のＥＵＬ伝送を続行する。
【００２７】
図４は、本発明の一実施例によるエンハンストアップリンクデータ伝送のタイムスロットを図示する概略図を示す。この実施例において、１つのサブフレーム内の５つのタイムスロット（ＴＳ）（ＴＳ２〜ＴＳ６）は、Ｅ−ＤＣＨ伝送に割り当てられる。１つのＴＳはＥＵＬ関連ＤＰＣＨに供給されなければならないので、サブフレームごとに多くとも５つのＴＳが、Ｅ−ＤＣＨに割り当てられることができる。
【００２８】
図５は、本発明の一実施例によるＥ−ＰＵＤＣＨリソースの動的割り当てを図示する概略図を示す。図５に示されるように、Ｅ−ＰＵＤＣＨリソースが１つの"目標"ＵＥに動的に割り当てられる場合に、異なるサブフレームにおける符号チャネルの割り当て状態が提供される（灰色領域は、符号チャネルが占有されていることを表す）。サブフレームｎ及びｎ＋１の間、前記目標ＵＥは、推測される最小のＰ＊Ｑ値を持ち、したがって、前記ＵＥは、１つの符号チャネルのみを割り当てられ、サブフレームｎ＋２において、新しいＵＥが、エンハンストアップリンク伝送を行うように要求し、したがって、前記目標ＵＥは、最小のＰ＊Ｑ値を持つので、符号チャネルを解放するように要求される。結果として、前記目標ＵＥは、唯一の利用可能な符号チャネルのため、前記エンハンストアップリンク伝送を停止し、サブフレームｎ＋３において、前記パラメータ（Ｓ、Ｐ、Ｑ、Ｎ）は不変のままであり、サブフレームｎ＋４において、前記目標ＵＥのチャネル品質は、向上され、前記目標ＵＥは、大幅に高いＰ＊Ｑ値を持ち、したがって、より多くのＥ−ＰＵＤＣＨリソースを割り当てられる。
【００２９】
図６は、本発明の一実施例によるエンハンストアップリンクデータ伝送に使用される装置のブロック図である。この実施例は、ＲＡＮ２が伝送タイプを決定する前提条件でＵＥ及びＲＡＮの機能ブロックを説明する。ＵＥ１は、データ伝送ユニット１１及びＤＰＣＨ調整ユニット１２を有し、データ伝送ユニット１１は、Ｅ−ＰＵＤＣＨ上でエンハンストアップリンク伝送を行うのに使用され、ＤＰＣＨ調整ユニット１２は、Ｅ−ＰＵＤＣＨリソースを適宜に動的に調整するのに使用される。
【００３０】
ＲＡＮ２は、測定ユニット２１と、モニタリングユニット２１１と、伝送タイプ選択ユニット２２と、ＴＦＩ（トランスポートフォーマット情報）設定ユニット２３と、受信ユニット２４と、ＤＰＣＨ割り当てユニット２５とを有し、測定ユニット２１は、ＵＥ１アップリンクチャネルの品質を測定するのに使用され、モニタリングユニット２１１は、上記図３に示されるＱ、Ｐ、Ｎ及びＳの値をモニタするのに使用され、伝送タイプ選択ユニット２２は、ＵＥ１アップリンクチャネルの品質によって伝送タイプを選択するのに使用される。チャネル品質が、不変の伝送パワーを用いて良好である場合、高次の変調及び関連する符号化（例えば６４ＱＡＭ、３／４チャネル符号化）を選択することができるか、又は低次変調及び関連する符号化（例えばＢＰＳＫ、１／２チャネル符号化）を使用する場合に伝送パワーを減少させることができる。ＴＦＩ設定ユニット２３は、前記選択された伝送タイプによってＴＦＩ情報に含まれる伝送タイプを修正するのに使用される。復調ユニット２４は、伝送タイプによってＵＥ１のデータ伝送ユニット１１により伝送されるデータを受信及び復調するのに使用される。ＤＰＣＨ割り当てユニット２５は、Ｅ−ＰＵＤＣＨリソースを動的に割り当てるのに使用される。
【００３１】
ＵＥ１が、エンハンストアップリンク伝送を開始する場合、測定ユニット２１は、ＵＥ１のアップリンクチャネルの品質を測定し、前記ＵＥ１のアップリンクチャネルの品質によって、伝送タイプ選択ユニット２２は、適切な伝送タイプを選択し、ＴＦＩ情報に含まれる伝送タイプを修正するようにＴＦＩ設定ユニット２３に通知し、同時に、データ伝送ユニット１１は、前記伝送タイプによってエンハンストアップリンク伝送を行い、データは、前記伝送タイプによって前記データを復調する復調ユニット２４に送信される。上記エンハンストアップリンク伝送プロセス中に、モニタリングユニット２１１によりモニタされたパラメータ値及び図３に示された前記方法に基づき、ＤＰＣＨ割り当てユニット２５は、Ｅ−ＰＵＤＣＨリソースをＵＥ１に動的に割り当て、ＤＰＣＨ調整ユニット１２は、Ｅ−ＰＵＤＣＨリソース割り当て情報によってこれ自体により使用されるＥ−ＰＵＤＣＨの数を調整する。
【００３２】
図７は、本発明の他の実施例によるエンハンストアップリンクデータ伝送に使用される装置のブロック図である。この実施例は、ＵＥ１'が伝送タイプを決定するという前提条件でＵＥ及びＲＡＮの機能ブロックを説明する。ＵＥ１'は、データ伝送ユニット１１'と、ＤＰＣＨ調整ユニット１２'と、測定ユニット２１'と、伝送タイプ選択ユニット２２'と、ＴＦＩ設定ユニット２３'とを有する。ＲＡＮ２'は、モニタリングユニット２１１'と、受信ユニット２４'と、ＤＰＣＨ割り当てユニット２５'とを有する。前記ユニットの機能は図６のものと同じなので、詳細な説明は省略される。ＴＤＤ通信システムにおいて、アップリンク及びダウンリンク伝送は、同じ周波数で実施され、したがって、アップリンクチャネルの品質は、ダウンリンクチャネルの品質を測定することにより取得されることができる。
【００３３】
ＵＥ１'が、エンハンストアップリンク伝送を開始する場合、測定ユニット２１'は、ダウンリンクチャネルの品質を測定し、前記ＵＥ１'のダウンリンクチャネルの品質によって、伝送タイプ選択ユニット２２'は、適切な伝送タイプを選択し、ＴＦＩ情報に含まれる伝送タイプを修正するようにＴＦＩ設定ユニット２３'に通知し、同時に、データ伝送ユニット１１'は、前記伝送タイプによってエンハンストアップリンク伝送を行い、データは、ＴＦＩ設定ユニット２３'により送信された前記伝送タイプによって前記データを復調する受信ユニット２４'に送信される。上記エンハンストアップリンク伝送プロセスの間、モニタリングユニット２１１'によりモニタされる前記パラメータ値及び図３に示される前記方法に基づいて、ＤＰＣＨ割り当てユニット２５'は、ＵＥ１'にＥ−ＰＵＤＣＨリソースを動的に割り当て、ＤＰＣＨ調整ユニット１２'は、Ｅ−ＰＵＤＣＨリソース割り当て情報によってこれ自体により使用されるＥ−ＰＵＤＣＨの数を調整する。
【００３４】
本発明に開示されるＰ２Ｐイネーブル無線通信ネットワークにおけるマルチキャスト方法及び装置が、添付の請求項により規定される本発明の範囲及び精神から逸脱することなく様々な修正例を作成されることができることは、当業者により理解されるべきである。
【図面の簡単な説明】
【００３５】
【図１】本発明の一実施例によるエンハンストアップリンクデータ伝送の物理チャネル構成を図示する概略図である。
【図２】本発明の一実施例によるエンハンストアップリンクデータ伝送を図示するフローチャートである。
【図３−Ｉ】本発明の一実施例による動的なＥ−ＰＵＤＣＨリソース割り当てを図示するフローチャートである。
【図３−ＩＩ】本発明の一実施例による動的なＥ−ＰＵＤＣＨリソース割り当てを図示するフローチャートである。
【図４】本発明の一実施例によるエンハンストアップリンクデータ伝送のタイムスロットを図示する概略図である。
【図５】本発明の一実施例によるＥ−ＰＵＤＣＨリソースの動的割り当てを図示する概略図である。
【図６】本発明の一実施例によるエンハンストアップリンクデータ伝送に対して使用される装置のブロック図である。
【図７】本発明の他の実施例によるエンハンストアップリンクデータ伝送に対して使用される装置のブロック図である。
【図１】
2008541646.tif 000003
【図２】
2008541646.tif 000004
【図３−Ｉ】
2008541646.tif 000005
【図３−ＩＩ】
2008541646.tif 000006
【図４】
2008541646.tif 000007
【図５】
2008541646.tif 000008
【図６】
2008541646.tif 000009
【図７】
2008541646.tif 000010
【国際調査報告】
2008541646.tif 000011
2008541646.tif 000012
2008541646.tif 000013